(57)【要約】【課題】特定日に繰り返し実行するスケジュールを容易に、かつ正確に設定する。【解決手段】制御対象となる照明機器に対して特定日及びその特定日に実行すべき特定スケジュールを設定する特定情報設定部３１と、所定のタイミングで現在の日付情報を取得するとともに、取得した現在の日付情報が特定スケジュールを実行すべき特定日に該当するか否かを判断し、特定日に該当する場合には特定スケジュールに従って照明機器を点灯させる一方、特定日に該当しない場合には予め設定した基本スケジュールに従って照明機器を点灯する点灯制御部３２とを備えた。【選択図】図１
2013246890.tif 000002
【特許請求の範囲】
【請求項１】
制御対象となる照明機器に対して特定日及びその特定日に実行すべき特定スケジュールを設定する特定情報設定手段と、
所定のタイミングで現在の日付情報を取得するとともに、取得した現在の日付情報が特定スケジュールを実行すべき特定日に該当するか否かを判断し、特定日に該当する場合には特定スケジュールに従って照明機器を点灯させる一方、特定日に該当しない場合には予め設定した基本スケジュールに従って照明機器を点灯する点灯制御手段と
を備えたことを特徴とする照明制御装置。
【請求項２】
前記特定情報設定手段は、特定スケジュールが設定された場合、基本スケジュールとの相違点を特定点灯情報として生成し、生成した特定点灯情報を対象として記憶手段に記憶するものであり、
前記点灯制御手段は、取得した現在の日付が特定日に該当する場合、対応する特定点灯情報及び基本スケジュールに基づいて特定スケジュールを生成し、生成した特定スケジュールに従って照明機器を点灯させることを特徴とする請求項１に記載の照明制御装置。
【請求項３】
前記特定情報設定手段は、特定点灯情報とこの特定点灯情報に対応する基本スケジュールとを互いに対応付けて点灯パターンを生成し、生成した点灯パターンを記憶手段に記憶するとともに、記憶手段に記憶した点灯パターンを制御対象となる照明機器に対応付ける機能を有し、
前記点灯制御手段は、取得した現在の日付が特定日に該当する場合、対応する点灯パターンに含まれる特定点灯情報及び基本スケジュールに基づいて特定スケジュールを生成するとともに、対応付けられた照明機器を特定し、特定した照明機器を特定スケジュールに従って点灯させることを特徴とする請求項２に記載の照明制御装置。
【発明の詳細な説明】
【技術分野】
【０００１】
本発明は、照明機器の点灯制御を行う照明制御装置に関するものである。
【背景技術】
【０００２】
店舗等、多数の照明機器を備えた施設では、これら照明機器の点灯制御を集中的に実施することが行われている。例えば、特許文献１に記載のものでは、点灯時刻と消灯時刻とから成るスケジュールが予め複数設定されており、これら複数のスケジュールから所望とするものを割り付けることにより、その日の店舗の運営形態に合わせて照明機器を点灯させるようにしている。
【０００３】
こうした特許文献１によれば、例えば照明機器を点灯させるスケジュールを予め１ヶ月分割り付けておくことにより、朝市等の特別な催事で照明の点灯時刻を変更する場合にも、容易に対応することが可能となる。
【先行技術文献】
【特許文献】
【０００４】
【特許文献１】特開２００１−２７２１６１号公報
【発明の概要】
【発明が解決しようとする課題】
【０００５】
ところで、店舗において実施する催事には、毎月１日、毎月５の付く日、毎週土曜日、毎月第一日曜日等々、特定の日に繰り返し実施されるものもある。上述の特許文献１では、このように特定日に繰り返し実施される催事に対しても、都度スケジュールを割り付ける必要があるばかりでなく、誤ってスケジュールを設定する可能性も高くなる等、設定の作業性や正確性を考慮した場合、必ずしも好ましいとはいえない。
【０００６】
本発明は、上記実情に鑑みて、特定日に繰り返し実行するスケジュールを容易に、かつ正確に設定することのできる照明制御装置を提供することを目的とする。
【課題を解決するための手段】
【０００７】
上記目的を達成するため、本発明に係る照明制御装置は、制御対象となる照明機器に対して特定日及びその特定日に実行すべき特定スケジュールを設定する特定情報設定手段と、所定のタイミングで現在の日付情報を取得するとともに、取得した現在の日付情報が特定スケジュールを実行すべき特定日に該当するか否かを判断し、特定日に該当する場合には特定スケジュールに従って照明機器を点灯させる一方、特定日に該当しない場合には予め設定した基本スケジュールに従って照明機器を点灯する点灯制御手段とを備えたことを特徴とする。
【０００８】
また、本発明は、上述した照明制御装置において、前記特定情報設定手段は、特定スケジュールが設定された場合、基本スケジュールとの相違点を特定点灯情報として生成し、生成した特定点灯情報を対象として記憶手段に記憶するものであり、前記点灯制御手段は、取得した現在の日付が特定日に該当する場合、対応する特定点灯情報及び基本スケジュールに基づいて特定スケジュールを生成し、生成した特定スケジュールに従って照明機器を点灯させることを特徴とする。
【０００９】
また、本発明は、上述した照明制御装置において、前記特定情報設定手段は、特定点灯情報とこの特定点灯情報に対応する基本スケジュールとを互いに対応付けて点灯パターンを生成し、生成した点灯パターンを記憶手段に記憶するとともに、記憶手段に記憶した点灯パターンを制御対象となる照明機器に対応付ける機能を有し、前記点灯制御手段は、取得した現在の日付が特定日に該当する場合、対応する点灯パターンに含まれる特定点灯情報及び基本スケジュールに基づいて特定スケジュールを生成するとともに、対応付けられた照明機器を特定し、特定した照明機器を特定スケジュールに従って点灯させることを特徴とする。
【発明の効果】
【００１０】
本発明によれば、特定日及びその特定日に実行する特定スケジュールを設定し、現在の日付情報が特定日に該当する場合に特定スケジュールに従って照明機器を点灯するようにしている。従って、特定日に繰り返し実行するスケジュールであっても、これを一旦設定すれば、以降については都度設定する必要がなく照明機器が点灯されることになり、設定作業の容易化を図ることができ、かつ誤って設定する可能性もきわめて低くなる。
【図面の簡単な説明】
【００１１】
【図１】図１は、本発明の実施の形態である照明制御装置の構成を示すブロック図である。
【図２】図２は、図１に示した照明制御装置の点灯パターン生成部が生成する点灯パターンの例を示す図表である。
【図３】図３は、図１に示した照明制御装置の入力補助画面生成部が生成する点灯パターンの選択画面の例を示す図である。
【図４】図４は、図１に示した照明制御装置の主制御部が実行するスケジュール設定処理の内容を示すフローチャートである。
【図５】図５は、図１に示した照明制御装置の点灯パターン生成部によって生成された点灯パターンが規定する照明機器の点灯時刻と消灯時刻との関係を示す図である。
【図６】図６は、図１に示した照明制御装置の主制御部が実行する点灯制御処理の内容を示すフローチャートである。
【発明を実施するための形態】
【００１２】
以下、添付図面を参照しながら本発明に係る照明制御装置の好適な実施の形態について詳細に説明する。
【００１３】
図１は、本発明の実施の形態である照明制御装置を適用した照明システムを示したものである。ここで例示する照明システムは、同じフロアに食品売場と日用雑貨売場とが設けられた比較的大型の店舗を対象とするもので、それぞれの売場に複数の照明機器を備えている。照明機器は、点灯指令が与えられた場合に点灯する一方、消灯指令が与えられた場合に消灯するもので、個々の売場の適宜箇所に複数配設してある。それぞれの照明機器には、個々の配設位置を特定するための固有の識別情報が設定してある。
【００１４】
これらの照明機器を制御する照明制御装置は、表示手段１０、入力手段２０及び主制御部３０を備えている。表示手段１０は、照明システムの管理者に対して各種の情報を表示するためのもので、例えば、液晶表示器によって構成してある。入力手段２０は、本照明システムの管理者が各種データを入力するためのもので、キーボードや表示手段１０の表示面に設けたタッチパネルによって構成してある。この入力手段２０は、モード選択部２１を有している。モード選択部２１は、後述する主制御部３０の処理モードをパターン登録モードとパターン割付モードとを切り換えるものである。主制御部３０は、入力手段２０から入力されたデータや記憶部４０に記憶されたデータに基づいて照明機器を点灯させる実施点灯パターンの設定を行う一方、現在の日付に応じて実行スケジュールを生成し、生成した実行スケジュールに従って、複数の照明機器の点灯、消灯を制御するもので、特定情報設定部３１及び点灯制御部３２を備えて構成してある。
【００１５】
主制御部３０の特定情報設定部３１は、照明機器を点灯させるための実施点灯パターンを予め設定するものであり、特定点灯情報生成部３１１、点灯パターン生成部３１２、入力補助画面生成部３１３、実施点灯パターン設定部３１４を有している。
【００１６】
特定点灯情報生成部３１１は、入力手段２０のモード選択部２１を通じてパターン登録モードが選択された後、制御対象となる照明機器の識別情報、特定日及び特定スケジュールが入力された場合に、入力されたこれらの情報と基本スケジュールとの相違点を抽出し、抽出した相違点を特定点灯情報として生成するものである。特定日とは、毎月１日、毎月５の付く日、毎週土曜日、毎月第一日曜日等々、定期的に繰り返される日であり、任意に設定可能である。基本スケジュールとは、通常時において照明機器を点灯する時刻と消灯する時刻とを設定したものであり、照明機器の配設場所ごとに予め設定され、記憶部４０に記憶されている。特定スケジュールとは、特定日においてのみ照明機器を点灯する時刻と消灯する時刻とを設定したものである。
【００１７】
点灯パターン生成部３１２は、特定点灯情報生成部３１１によって特定点灯情報が生成された場合に、図２に示すように、特定点灯情報と、この特定点灯情報に対応する基本スケジュールとを含んだ点灯パターンを生成するとともに、生成した点灯パターンにパターン識別情報を付与するものである。点灯パターン生成部３１２によって生成された点灯パターンは、図１に示すように、記憶部４０に記憶される。
【００１８】
図１に示す入力補助画面生成部３１３は、入力手段２０のモード選択部２１を通じてパターン割付モードが選択された場合、記憶部４０に記憶されている点灯パターンの選択画面を生成し、表示手段１０を通じて選択画面の表示を行うものである。点灯パターンの選択画面は、例えば図３に例示するように、制御対象となる照明機器ごとに点灯パターンの表示領域ｓを設定するとともに、この表示領域ｓに点灯パターンをスクロール表示させるものである。点灯パターンの表示領域ｓに隣接する部分には、表示された点灯パターンを選択するための選択ボタンｂを表示させるようにしている。この点灯パターンの表示画面において、入力手段２０を通じて選択ボタンｂの選択命令を入力すると、表示領域ｓに現在表示されている点灯パターンのパターン識別情報及び該当する照明機器の識別情報が実施点灯パターン設定部３１４に与えられる。
【００１９】
図１に示す実施点灯パターン設定部３１４は、入力手段２０から入力された点灯パターンのパターン識別情報及び照明機器の識別情報が与えられると、これらを互いに対応付けた実施点灯パターンを生成し、生成した実施点灯パターンを記憶部４０に記憶する処理を実施するものである。
【００２０】
図４は、照明制御装置の主制御部３０において主に特定情報設定部３１が実行するスケジュール設定処理の内容を示すフローチャートである。以下、このフローチャートを適宜参照しながら、主制御部３０の特定情報設定部３１が実行するスケジュール設定処理について説明を行う。
【００２１】
スケジュール設定処理において、主制御部３０の特定情報設定部３１は、まず、入力手段２０のモード選択部２１を通じて入力された処理モードがパターン登録モードであるか否かを判断する（ステップＳ１０１）。入力された処理モードがパターン登録モードであった場合（ステップＳ１０１：Ｙｅｓ）、主制御部３０の特定情報設定部３１は、照明機器の識別情報、特定日及び特定スケジュールの入力待ちとなる（ステップＳ１０２）。照明機器の識別情報、特定日及び特定スケジュールがすべて入力されると（ステップＳ１０２：Ｙｅｓ）、主制御部３０の特定情報設定部３１は、これらの入力情報に基づき、特定点灯情報生成部３１１を通じて特定点灯情報の生成を行う（ステップＳ１０３）。具体的には、照明機器の識別情報をキーとして記憶部４０から基本スケジュールを読み出すとともに、読み出した基本スケジュールと入力された特定日及び特定スケジュールとの相違点を抽出し、抽出した相違点を特定点灯情報として生成する。
【００２２】
いま、図２に例示するように、食品売場の照明機器に対して基本スケジュールが毎日、点灯時刻０８：００、消灯時刻２０：００と設定されているものとする。入力手段２０から食品売場の照明機器を対象として特定日が毎週日曜日、特定スケジュールが点灯時刻０６：００、消灯時刻１８：００と入力された場合、特定点灯情報生成部３１１では、入力されたすべての情報、つまり、毎週日曜日、点灯時刻０６：００、消灯時刻１８：００という情報を特定点灯情報として生成する処理を行う。また、入力手段２０から食品売場の照明機器を対象として特定日が毎月１日、特定スケジュールが点灯時刻０５：００、消灯時刻２０：００と入力された場合、特定点灯情報生成部３１１は、毎月１日、点灯時刻０５：００という情報を特定点灯情報として生成する。図２中の消灯時刻＊＊：＊＊は、基本スケジュールと同じ時刻という意味である。
【００２３】
同様に、基本スケジュールが毎日、点灯時刻１０：００、消灯時刻２２：００と設定されている日用雑貨売場の照明に対して、入力手段２０から特定日が毎週日曜日、特定スケジュールが点灯時刻０８：００、消灯時刻２０：００と入力された場合、特定点灯情報生成部３１１では、入力された毎週日曜日、点灯時刻０８：００、消灯時刻２０：００というすべての情報を特定点灯情報として生成する処理を行う。また、入力手段２０から日用雑貨売場の照明機器に対して特定日が毎週火曜日、特定スケジュールが点灯時刻−−：−−、消灯時刻−−：−−と入力された場合、特定点灯情報生成部３１１は、毎週火曜日、点灯時刻−−：−−、消灯時刻−−：−−というすべての情報を特定点灯情報として生成する。尚、点灯時刻−−：−−、消灯時刻−−：−−は、照明機器を終日点灯しないという意味である。
【００２４】
図４のステップＳ１０３において特定点灯情報を生成した主制御部３０の特定情報設定部３１は、点灯パターン生成部３１２を通じて点灯パターンの生成・記憶処理を行い（ステップＳ１０４）、手順をリターンさせる。具体的には、図２に例示するように、特定点灯情報と、この特定点灯情報に対応する基本スケジュールとを含んだ点灯パターンを生成するとともに、生成した点灯パターンにパターン識別情報を付与して記憶部４０に格納する処理を行う。点灯パターンに含める特定点灯情報は、必ずしも一つに制限されない。照明機器の配設場所が一致する特定点灯情報であれば、複数の特定点灯情報を含めて点灯パターンを生成することが可能である。
【００２５】
図５は、点灯パターンによって規定される照明機器の点灯時刻と消灯時刻との関係を示す図である。図５の（ａ）で示す点灯パターン（パターン１：食料品売場）では、毎週日曜日と毎月１日とが特定日に該当することになり、それ以外の日は基本スケジュールに従って照明機器が点灯する。日曜日には、基本スケジュールが無効化され、特定スケジュールがそのまま照明機器の点灯スケジュールとなる。毎月１日は、基本スケジュールに対して点灯時間のみが０８：００から０５：００に早まった点灯スケジュールとなる。図５の（ｂ）に示す点灯パターン（パターン２：日用雑貨売場）では、毎週日曜日と毎週火曜日とが特定日に該当することになり、それ以外の日は基本スケジュールに従って照明機器が点灯する。日曜日及び火曜日には、いずれも基本スケジュールが無効化され、特定スケジュールがそのまま点灯スケジュールとなる。
【００２６】
これに対し、図４に示すステップＳ１０１において入力手段２０のモード選択部２１から入力された処理モードがパターン登録モードでなかった場合（ステップＳ１０１：Ｎｏ）、主制御部３０の特定情報設定部３１は、手順をステップＳ１０５に進め、入力補助画面生成部３１３を通じて点灯パターンの選択画面を生成し、生成した選択画面を表示手段１０に表示して入力待ちとなる（ステップＳ１０６、ステップＳ１０７）。入力手段２０を通じて点灯パターンの選択情報が入力されると（ステップＳ１０７：Ｙｅｓ）、主制御部３０の特定情報設定部３１は、選択された点灯パターンのパターン識別情報及び該当する照明機器の識別情報に基づき、実施点灯パターン設定部３１４を通じて実施点灯パターンを生成し、生成した実施点灯パターンを記憶部４０に記憶する処理を行う（ステップＳ１０８）。
【００２７】
以降、上述したスケジュール設定処理がそれぞれの処理モードごとに繰り返し実施され、照明機器ごとに実施点灯パターンが順次生成されて記憶部４０に記憶されることになる。
【００２８】
一方、図１に示す主制御部３０の点灯制御部３２は、特定情報設定部３１で設定された実施点灯パターンに従って照明機器に点灯指令及び消灯指令を出力するもので、日付取得部３２１、特定日判断部３２２、実行スケジュール生成部３２３及び点／消灯指令出力部３２４を有している。
【００２９】
日付取得部３２１は、時計機能及びカレンダー機能を有し、現在の時刻情報及び日付情報を取得するとともに、取得した時刻情報及び日付情報に基づいて更新タイミングであるか否かを判断するものである。更新タイミングとは、取得した日時が予め設定した更新タイミングに一致するか否かを判断するものである。具体的には、今回取得した日付が前回取得した日付よりも大きくなったか否かを判断し、日付が大きくなった場合に更新タイミングであると判断するものである。
【００３０】
特定日判断部３２２は、日付取得部３２１が取得した現在の日付情報が特定日に該当するか否かを判断するものである。判断基準となる特定日とは、記憶部４０に記憶されている実施点灯パターンの特定点灯情報に設定された日付である。
【００３１】
実行スケジュール生成部３２３は、特定日判断部３２２の判断結果に応じて実施すべき実行スケジュールを生成するものである。具体的には、特定日判断部３２２によって特定日に該当しないと判断された場合、実行スケジュール生成部３２３は、記憶部４０から制御対象となる照明機器に対応した実施点灯パターンを読み出し、この実施点灯パターンに含まれる基本スケジュールを実行スケジュールとして生成する処理を行う。一方、特定日判断部３２２によって特定日に該当すると判断された場合、実行スケジュール生成部３２３は、記憶部４０から制御対象となる照明機器に対応した実施点灯パターンを読み出し、この実施点灯パターンに含まれる情報に基づいて実行スケジュールを生成する処理を行う。具体的には実施点灯パターンに含まれる基本スケジュール及び特定点灯情報を組み合わせて特定スケジュールを復元生成し、これを実行スケジュールとして生成する処理を行う。生成した実行スケジュールは、実行スケジュール生成部３２３によって記憶部４０に記憶される。
【００３２】
点／消灯指令出力部３２４は、実行スケジュール生成部３２３によって生成された実行スケジュールを読み出し、読み出した実行スケジュールに従って対応する照明機器に点灯指令もしくは消灯指令を出力するものである。
【００３３】
図６は、照明制御装置の主制御部３０において主に点灯制御部３２が所定のサイクルタイムで繰り返し実行する点灯制御処理の内容を示すフローチャートである。以下、このフローチャートを適宜参照しながら、主制御部３０の点灯制御部３２が実施する点灯制御処理について説明を行う。
【００３４】
点灯制御処理において主制御部３０の点灯制御部３２は、まず、日付取得部３２１を通じて現在の時刻情報及び日付情報を取得し、現在の日時が更新タイミングであるか否かの判断を行う（ステップＳ２０１、ステップＳ２０２）。現在の日付が更新タイミングに一致していた場合（ステップＳ２０２：Ｙｅｓ）、主制御部３０の点灯制御部３２は、特定日判断部３２２を通じて現在の日付が特定日に該当するか否かの判断を行う（ステップＳ２０３）。
【００３５】
特定日判断部３２２によって特定日に該当しないと判断された場合（ステップＳ２０３：Ｎｏ）、主制御部３０の点灯制御部３２は、実行スケジュール生成部３２３を通じて記憶部４０から制御対象となる照明機器に対応した実施点灯パターンを読み出し、この実施点灯パターンに含まれる基本スケジュールを実行スケジュールとして生成するとともに、この実行スケジュールを所定の一時記憶エリアに記憶する処理を行う（ステップＳ２０４→ステップＳ２０６）。従って、食品売場に配設された照明機器の場合には、０８：００に点灯し、２０：００に消灯する実行スケジュールが生成され、日用雑貨売場に配設された照明機器の場合には、１０：００に点灯し、２２：００に消灯する実行スケジュールが生成されることになる。
【００３６】
これに対し、特定日判断部３２２によって特定日に該当すると判断された場合（ステップＳ２０３：Ｙｅｓ）、主制御部３０の点灯制御部３２は、実行スケジュール生成部３２３を通じて記憶部４０から制御対象となる照明機器に対応した実施点灯パターンを読み出し、この実施点灯パターンに含まれる基本スケジュール及び特定点灯情報から特定スケジュールを生成し、これを実行スケジュールとして生成するとともに、所定の一時記憶エリアに記憶する処理を行う（ステップＳ２０５→ステップＳ２０６）。例えば、食品売場に配設された照明機器の場合には、現在が日曜日であれば、０６：００に点灯し、１８：００に消灯する実行スケジュールが生成され、現在が○月１日であれば、０５：００に点灯し、２０：００に消灯する実行スケジュールが生成される。尚、現在が○月１日で日曜日の場合には、いずれか一方を優先して実行スケジュールを生成すれば良い。同様に、日用雑貨売場に配設された照明機器の場合には、現在が日曜日であれば、０８：００に点灯し、２０：００に消灯する実行スケジュールが生成され、現在が火曜日であれば、終日に渡って照明機器が消灯された状態を維持するように実行スケジュールが生成される。
【００３７】
次いで主制御部３０の点灯制御部３２は、点／消灯指令出力部３２４を通じて実行スケジュールの読み出しを行い（ステップＳ２０７）、読み出した実行スケジュールに従って点灯指令もしくは消灯指令を、対応する照明機器に出力する処理を実施する（ステップＳ２０８：Ｙｅｓ→ステップＳ２０９）。この結果、特定日においては、設定した特定スケジュールに従って照明機器が点灯されることになる一方、特定日以外の日には、予め設定された基本スケジュールに従って照明機器が点灯されることになる。
【００３８】
以降、新たな更新タイミングとなるまでは、ステップＳ２０２において、現在の日時が更新タイミングでないと判断され（ステップＳ２０２：Ｎｏ）、上述したステップＳ２０３〜ステップＳ２０６までの処理を実施することなく手順がステップＳ２０７に進められ、既に生成した実行スケジュールに従って、照明機器に点灯指令もしくは消灯指令が出力されることになる。
【００３９】
実行スケジュールを設定した日の翌日になれば、ステップＳ２０２において更新タイミングであると判断され（ステップＳ２０２：Ｙｅｓ）、特定日であるか否かの判断に基づいて新たな実行スケジュールが設定されることになり（ステップＳ２０３〜ステップＳ２０６）、新たに生成した実行スケジュールに従って照明機器に点灯指令もしくは消灯指令が出力されることになる（ステップＳ２０７〜ステップＳ２０９）。
【００４０】
このように、この照明制御装置によれば、特定日に繰り返し実行するスケジュールであっても、これを一旦設定すれば、以降については都度設定する必要がなく照明機器が点灯制御されることになり、設定作業の容易化を図ることができ、かつ誤って設定する可能性もきわめて低くなる。
【００４１】
しかも、実施点灯パターンを照明機器ごとに設定するようにしているため、食品売場と日用雑貨売り場とで全く異なる点灯パターンで照明機器を点灯させることが可能となる。
【００４２】
尚、上述した実施の形態では、商品売場の照明機器と日用雑貨売場の照明機器とに対応した照明制御装置を例示しているが、必ずしも食品売場や日用雑貨売場に限定されず、またより多数の照明機器に対応することも可能である。
【００４３】
また、上述した実施の形態では、特定スケジュールと基本スケジュールとの相違点を特定点灯情報として生成し、生成した特定点灯情報を対象として記憶部４０に記憶するようにしているため、記憶部４０の記憶するデータ量を抑えることが可能になるが、本発明ではこれに限定されず、特定スケジュールのすべてを記憶部４０に記憶するようにしても良い。
【符号の説明】
【００４４】
１０      表示手段
２０      入力手段
２１      モード選択部
３０      主制御部
３１      特定情報設定部
３２      点灯制御部
４０      記憶部
３１１      特定点灯情報生成部
３１２      点灯パターン生成部
３１３      入力補助画面生成部
３１４      実施点灯パターン設定部
３２１      日付取得部
３２２      特定日判断部
３２３      実行スケジュール生成部
３２４      点／消灯指令出力部
【図１】
2013246890.tif 000003
【図２】
2013246890.tif 000004
【図３】
2013246890.tif 000005
【図４】
2013246890.tif 000006
【図５】
2013246890.tif 000007
【図６】
2013246890.tif 000008